(57)【要約】【課題】下部に錨等が入り込んだ際の錨等の引っ掛かりを防ぎ、収容された海底長尺体の損傷を防ぐことが可能な海底長尺体用防護体を提供するする。【解決手段】海底長尺体用防護体１は、連結手段により連結された、断面が三角形で内部が空洞の筒状の本体部２を複数備えて構成される。連結手段は前面開口部２ｂに形成された前面連結部２ｅと、背面開口部２ｄに形成された背面連結部２ｆから構成され、各本体部２は連結手段により、前面連結部２ｅと背面連結部２ｆを軸に回転自在に連結される。また、前面開口部２ｂ及び背面開口部２ｄを通じて海底長尺体が内部に収容される。このような構成により、錨５の爪５ａが引っ掛かった際には、錨５が引っ張られて本体部２が回転することにより錨５が外れるようにして、錨５等による内部に収容された海底長尺体の損傷を防ぐことを可能とするものである。【選択図】        図１
2006329239.tif 000002
【特許請求の範囲】
【請求項１】
断面が三角形の筒状で、長手方向の前面部及び背面部にそれぞれ開口部を備え、前記開口部を通じて海底長尺体が内部に収容される複数の本体部と、
前記各本体部を連結する連結手段を備え、
前記連結手段は、一方の前記本体部の前面部の前記開口部及び、他方の前記本体部の背面部の前記開口部を連通させて、それぞれの前記本体部を前記開口部を中心とした長手方向を軸に回転自在に連結し、
前記連結手段で連結された複数の前記本体部を通して前記海底長尺体が収容された
ことを特徴とする海底長尺体用防護体。
【請求項２】
前記連結手段は、前記本体部の前記前面部及び前記背面部の前記各開口部にそれぞれ形成された、球面状の連結部を備え、
二つの前記連結部のうち、一方は小径の球面状の小径連結部で、他方は前記小径連結部が嵌まる大径の球面状の大径連結部であり、
一方の本体部の小径連結部が、他方の本体部の大径連結部の内部に嵌まって、各前記本体部が回転自在に連結される
ことを特徴とする請求項１記載の海底長尺体用防護体。
【請求項３】
前記小径連結部及び前記大径連結部のうち、一方が前記本体部の外部に位置し、他方が前記本体部の内部に位置するように形成され、かつ、
前記前面部及び前記背面部が、中央部が最頂部となり端部に向かって傾斜する形状に形成された
ことを特徴とする請求項１または請求項２記載の海底長尺体用防護体。
【発明の詳細な説明】
【技術分野】
【０００１】
本発明は、海底ケーブル等の海底に敷設された海底長尺体を防護する海底長尺体用防護体に関する。詳しくは、三角形の筒状の本体部の長手方向の端部同士を回転自在に連結して、複数の本体部をそれぞれが回転自在になるように一列につなげ、各本体部の内部に海底長尺体を通して収容することで、錨等が本体部に引っ掛かった場合に、錨等の引っ掛かった本体部の回転により引っ掛かった錨等が外れるようにして、錨等による海底長尺体の損傷を防ぐことを可能とするものである。
【背景技術】
【０００２】
通常、海底ケーブル、海底管等の海底に敷設される海底長尺体には、船舶用の錨、漁具等による外傷を防ぐために、防護管等が使用される。
【０００３】
図６は、従来の海底長尺体の防護形態の説明図である。従来の防護形態においては、鋳鉄製またはポリウレタン製等の二つ割り構造で断面が円形の防護管３により、内部に位置する海底ケーブル４を防護する構成である。二つ割り構造の防護管３は、ステンレスバンド９にて固定される。
【０００４】
また、上記とは別に、海底長尺体用の防護管が提案されている（例えば、特許文献１）。
【０００５】
特許文献１に開示される海底長尺体用の防護管は、二つ割の防護管の略半円筒体のフランジ部に形成されたＵ字の切り欠きに、横方向からボルトを差し入れて二つの略半円筒体を接合する構成である。
【０００６】
これにより、座金やナットを陸上で予めボルトに取り付けておくことを可能にし、海底での作業を簡略化するものである。
【０００７】
また、ブロック状の袋体により、海底長尺体を保護する海底長尺体用防護体が提案されている（例えば、特許文献２）。
【０００８】
特許文献２に開示される海底長尺体用防護体は、海底長尺体を防護する胴部と、胴部の両側に形成された折り曲げ支点部と、折り曲げ支点部を介して両側に形成された引掛り部を備える。また、引掛り部は、海底長尺体の接触面側の反対側に折り曲げが可能となっている。
【０００９】
このような構成により、漁具、錨等により海底長尺体用防護体が持ち上げられようとしても、引掛り部が持ち上がるだけで済み、海底長尺体を防護することができるものである。
【００１０】
更に、金網状の防護体を用いた海底布設長尺体防護工法が提案されている（例えば、特許文献３）。
【００１１】
特許文献３に開示される海底布設長尺体防護工法では、海底長尺体と直交する方向に航行する船上から、金網状防護体が水中に繰り出され、金網状防護体が海底長尺体上に敷設される。
【００１２】
このような方法により敷設された金網状防護体により、海底長尺体を錨等の直撃から防護するものである。
【００１３】
【特許文献１】実開平０７−９０３４号公報
【特許文献２】特開平０７−２２２３３８号公報
【特許文献３】特開２０００−２２７１７８号公報
【発明の開示】
【発明が解決しようとする課題】
【００１４】
しかし、前述した従来の海底長尺体の防護形態では、次のような問題がある。
図７は、海底に敷設された従来の防護形態の海底長尺体の下部へ、錨が入り込む状態の説明図である。図７に示すように、窪み７がある海底６において、窪み７を跨って防護管３の内部に収納された海底ケーブル４が敷設されている。このような場合、窪み７において、矢印ｄに示す方向に錨鎖８にて引っ張られた錨５が、防護管３及び海底ケーブル４の下部に入りこんでしまう。
【００１５】
図８は、従来の防護形態の海底長尺体に錨が引っ掛かった状態の説明図であり、図７のＤ−Ｄ断面を示している。錨５は切断していない状態で示している。
【００１６】
図７及び図８に示すように、断面が円形の防護管３により海底ケーブル４を防護する従来の防護形態では、錨５が防護管３及び海底ケーブル４の下部に入り込んでしまうと、錨５の爪５ａが防護管３に引っ掛ってしまう。その結果、錨５により矢印ｄに示す方向に、防護管３及び内部の海底ケーブル４に力が加えられ、切断等の事故につながってしまう。
【００１７】
また、特許文献１にて提案されている海底長尺体用の防護管においても、断面が円形であるため、錨が下部に入り込んだ際に錨の爪が防護管に引っ掛り、防護管及び内部の海底長尺体を損傷してしまう恐れがある。
【００１８】
また、特許文献２にて提案されている海底長尺体用防護体では、内部にコンクリートが充填された袋体を用いる。このため、海底長尺体用防護体の重量が大きくなり、敷設が困難である。
【００１９】
また、海底長尺体用防護体がマット状の形状であるため、図７に示すような海底６にできた窪み７においては、敷設された海底長尺体用防護体が宙に浮いた状態になってしまう。このため、錨等が下部に入り込んだ際には、海底長尺体用防護体が剥がれやすい。
【００２０】
また、特許文献３にて提案されている海底布設長尺体防護工法で用いられる金網状防護体では、網目に錨の爪が引っ掛り、金網状防護体が海底長尺体より外れてしまう恐れがある。
【００２１】
また、金網状の形状であるため、図７に示すような海底６にできた窪み７においては、特許文献２と同様に、敷設された金網状防護体が宙に浮いた状態になってしまう。このため、錨等が下部に入り込んだ際には、金網状防護体が剥がれやすい。
【００２２】
本発明は、このような問題を解決するためになされたもので、錨等の引っ掛かりを防ぎ、収容された海底長尺体の損傷を防ぐことが可能な海底長尺体用防護体を提供することを目的とする。
【課題を解決するための手段】
【００２３】
上述した問題を解決するため、本発明に係る海底長尺体用防護体は、断面が三角形の筒状で、長手方向の前面部及び背面部にそれぞれ開口部を備え、開口部を通じて海底長尺体が内部に収容される複数の本体部と、各本体部を連結する連結手段を備え、連結手段は、一方の本体部の前面部の開口部及び、他方の本体部の背面部の開口部を連通させて、それぞれの本体部を開口部を中心とした長手方向を軸に回転自在に連結し、連結手段で連結された複数の本体部を通して海底長尺体が収容されたことを特徴とするものである。
【００２４】
本発明に係る海底長尺体用防護体では、一列に繋がった複数の本体部の内部を海底長尺体が通り、それぞれの本体部は、海底長尺体を中心に回転自在である。
【００２５】
このような構成により、錨が海底長尺体用防護体の下部に入り込み、錨の爪がいずれかの本体部に引っ掛かった際は、錨が引っ張られ、錨の爪が引っ掛っている本体部が回転することで、錨は海底長尺体用防護体から外れる。
【発明の効果】
【００２６】
本発明の海底長尺体用防護体によれば、錨の爪が海底長尺体用防護体に引っ掛かった際には、錨が引っ張られ、錨の爪が引っ掛っている本体部が回転することで、錨は海底長尺体用防護体から外れる。
【００２７】
このため、本体部に引っ掛かった錨により、本体部の内部に収容された海底長尺体に力が加えられ、切断等の事故につながることを防ぐことができる。
【００２８】
また、筒状の本体部及び連結部を備えた単純な構成であるため、容易に、かつ、低コストで作製することが可能である。
【発明を実施するための最良の形態】
【００２９】
以下図面を参照して、本発明の海底長尺体用防護体の実施の形態について説明する。
＜本実施の形態の海底長尺体用防護体の構成例＞
図１から図３は、本実施の形態の海底長尺体用防護体１を示す説明図であり、海底長尺体用防護体１に、防護管３に収納された海底ケーブル４が収容された状態を示している。図１は概略斜視図であり、説明のため一部を透視した状態で破線で示している。
【００３０】
図２は図１のＡ−Ａ断面図である。図３は図２のＢ−Ｂ断面図であり、海底ケーブル４は切断しない状態で示している。
【００３１】
海底長尺体用防護体１は、例えば次に説明するような構成となる。図１から図３に示すように、海底長尺体用防護体１は、連結手段により連結された、断面が三角形で内部が空洞の筒状の本体部２を複数備えて構成される。
【００３２】
本体部２は、長手方向の一方の端部となる前面部２ａに前面開口部２ｂを備え、他方の端部となる背面部２ｃに背面開口部２ｄを備える。前面開口部２ｂ及び背面開口部２ｄは開口部の一例である。
【００３３】
また、図１及び図３に示すように、本体部２を連結する連結手段として、本体部２の前面開口部２ｂに前面連結部２ｅを備え、背面開口部２ｄに背面連結部２ｆを備える。前面連結部２ｅ及び背面連結部２ｆはそれぞれ球面状の曲面に形成される。前面連結部２ｅは小径連結部の一例であり、背面連結部２ｆは大径連結部の一例である。
【００３４】
前面連結部２ｅは、前面開口部２ｂにて本体部２の外部に位置するように、長手方向の前後部が切り落とされた球面の一部を有して凸状に形成される。また、この球面で形成された前面連結部２ｅの中心に、前面開口部２ｂが位置する。このため、前面開口部２ｂを通じて、本体部２の外部と内部が連通した状態となる。
【００３５】
また、背面連結部２ｆは、背面開口部２ｄにて本体部２の内部に位置するように、長手方向の前後部が切り落とされた球面の一部を有して凹状に形成される。また、この球面で形成された背面連結部２ｆの中心に、背面開口部２ｄが位置する。このため、背面開口部２ｄを通じて、本体部２の外部と内部が連通した状態となる。
【００３６】
また、前面連結部２ｅは背面連結部２ｆに対して小さい径に形成されており、一方の本体部２の前面連結部２ｅが、他方の本体部２の背面連結部２ｆに嵌め込まれることにより、二つの本体部２が連結される。このとき、一方の本体部２の内部と他方の本体部２の内部が、一方の本体部２の前面開口部２ｂと他方の本体部２の背面開口部２ｄを通じて、連通した状態となる。
【００３７】
上述したように連結された各本体部２の内部に、図１から図３に示すように、前面開口部２ｂ及び背面開口部２ｄを通じて、例えば防護管３に収納された海底ケーブル４が収容される。
【００３８】
また、本体部２が連結された状態では、球面状の前面連結部２ｅが、同じく球面状の背面連結部２ｆの内部に位置した状態となる。このため、防護管３及び海底ケーブル４が各本体部２の内部に収容された状態で、図１の矢印ａに示すように、各本体部２は前面連結部２ｅ及び背面連結部２ｆを軸にそれぞれ独立して回転自在となる。
【００３９】
また、図１及び図３に示すように、前面部２ａ及び背面部２ｃは、中央部が最頂部となり端部に向かって傾斜する形状に形成されている。このため、前面連結部２ｅ及び背面連結部２ｆが球面状の曲面に形成されていることから、各本体部２を若干角度を付けて連結することができる。これにより、内部に収容される防護管３及び海底ケーブル４の曲がりに応じて、各本体部２を設置することが可能になる。
【００４０】
また、海底長尺体用防護体１は、例えば図１及び図２に示すように、本体部２は割り部２ｇにて二つ割り構造で、ステンレスバンド１０にて固定される構造となる。また、前面連結部２ｅが背面連結部２ｆに嵌め込まれることにより、各本体部２は連結される。このような構成により、容易に施工を行うことができる。
【００４１】
また、設置された海底長尺体用防護体１が水中で浮き上がることを防ぐため、各本体部２の比重を調整する必要がある。このため各本体部２の内部は、水が位置した状態又は、その他の充填材が充填された状態となっている。
【００４２】
＜本実施の形態の海底長尺体用防護体の動作例＞
次に図４及び図５を用いて、海底長尺体用防護体１に錨５が引っ掛かった際の動きを説明する。図４は、海底長尺体用防護体１の下部へ、錨が入り込む状態の説明図である。図４に示すように、窪み７がある海底６において、窪み７を跨って防護管３及び海底ケーブル４を内部に収容した海底長尺体用防護体１が敷設されている。このような場合、窪み７において、矢印ｂに示す方向に錨鎖８にて引っ張られた錨５が、海底長尺体用防護体１の下部に入りこんでしまう。
【００４３】
図５は、海底長尺体用防護体１に錨が引っ掛かった際の本体部２の動きの説明図であり、図４のＣ−Ｃ断面を示している。錨５は切断していない状態で示している。
【００４４】
図４及び図５（ａ）に示すように、錨５が海底長尺体防護体１の下部に入り込むと、錨５の爪５ａの間隔に対して本体部２の三角形の一辺が大きいため、錨５の爪５ａが本体部２の三角形の一辺に引っ掛かった状態となる。
【００４５】
その後、図５（ｂ）に示すように、錨５が矢印ｂで示す方向にさらに引っ張られることにより、錨５の爪５ａが引っ掛かった本体部２が矢印ｃで示す方向に防護管３及び海底ケーブル４を中心に回転する。
【００４６】
その後、図５（ｃ）に示すように、錨５が矢印ｂで示す方向にさらに引っ張られることにより本体部２はさらに回転し、錨５は海底長尺体用防護体１から外れる。
【００４７】
このため、図７及び図８にて説明した、円形の防護管３による従来の海底長尺体の防護形態と異なり、引っ掛かった錨５により収容された海底ケーブル４に力が加えられ、切断等の事故につながる恐れがない。
【００４８】
また、図４においては、窪み７がある海底６において、海底長尺体用防護体１の下部に錨５が入り込んだ際の例を示した。しかし、窪み７がない海底６において、海底長尺体用防護体１の下部に錨５が入り込んだ場合も同様に、錨５の爪５ａが本体部２に引っ掛かり、錨５が引っ張られ錨５が引っ掛かった本体部２が回転することにより、錨５は海底長尺体用防護体１から外れる。
【００４９】
よって、引っ掛かった錨５により収容された海底ケーブル４に力が加えられ、切断等の事故につながる恐れがない。
【００５０】
また、図４及び図５においては、二本の爪５ａを有する構造の錨５が海底長尺体用防護体１の下部に入り込んだ際の例を示した。しかし、片爪等の他の構造を有する錨５が海底長尺体用防護体１の下部に入り込んだ際も同様に、本体部２に錨５の爪が引っ掛る。
【００５１】
このため、錨５が引っ張られ錨５が引っ掛かった本体部２が回転することにより、錨５は海底長尺体用防護体１から外れる。よって、収容された海底ケーブル４に力が加えられ、切断等の事故につながる恐れがない。
【００５２】
また、本実施の形態の海底長尺体用防護体１は、本体部２の内部に凹状に形成された背面連結部２ｆの内部に、本体部２の外部に凸状に形成された前面連結部２ｅが嵌め込まれて各本体部２が連結される構成である。このため連結された本体部２の連結部の隙間を狭くすることができ、錨５の爪５ａが本体部２の連結部の隙間に入り込むことを防ぐことができる。
【００５３】
また、本体部２が、断面が円形または、四角形、五角形等の内角が鈍角である多角形に形成されている場合は、錨５の爪５ａが引っ掛かった際は、錨鎖８に引っ張られた錨５の爪５ａにより本体部２を回転させる力が加えられない。このため、錨５が本体部２から外れず、内部の海底ケーブル４を損傷してしまう可能性がある。
【００５４】
これに対して、本実施の形態の海底長尺体用防護体１は、本体部２の断面が三角形であり、各内角が鋭角に形成される。このため、錨５の爪５ａが引っ掛かった際には、錨鎖８に引っ張られた錨５の爪５ａにより、三角形の頂点付近に本体部２を回転させる力が加えられる。この結果、本体部２が回転して錨５が本体部２から外れる。
【００５５】
なお、本実施の形態の海底長尺体用防護体１では、錨５の爪５ａが引っ掛かった際に各本体部２が回転して、錨５が外れるようにする。このため、各本体部２の断面の三角形の大きさは、海底長尺体用防護体１が設置される場所を航行する船舶にて使用される錨５の大きさに合わせて決められる。
【００５６】
また、各本体部２の長手方向の長さは、作製、施工等の条件から２〜５ｍに形成される。
【産業上の利用可能性】
【００５７】
本発明は、海底ケーブル等の海底に敷設された海底長尺体の防護に用いられる海底長尺体用防護体に適用される。
【図面の簡単な説明】
【００５８】
【図１】本実施の形態の海底長尺体用防護体の一例を示す説明図である。
【図２】本実施の形態の海底長尺体用防護体の一例を示す説明図である。
【図３】本実施の形態の海底長尺体用防護体の一例を示す説明図である。
【図４】本実施の形態の海底長尺体用防護体の下部への錨の入り込みを示す説明図である。
【図５】本実施の形態の海底長尺体用防護体への錨の引っ掛りを示す説明図である。
【図６】従来の海底長尺体の防護形態を示す説明図である。
【図７】従来の海底長尺体の防護形態の下部への錨の入り込みを示す説明図である。
【図８】従来の海底長尺体の防護形態への錨の引っ掛りを示す説明図である。
【符号の説明】
【００５９】
１  海底長尺体用防護体
２  本体部
２ａ  前面部
２ｂ  前面開口部
２ｃ  背面部
２ｄ  背面開口部
２ｅ  前面連結部
２ｆ  背面連結部
３  防護管
４  海底ケーブル
５  錨
【図１】
2006329239.tif 000003
【図２】
2006329239.tif 000004
【図３】
2006329239.tif 000005
【図４】
2006329239.tif 000006
【図５】
2006329239.tif 000007
【図６】
2006329239.tif 000008
【図７】
2006329239.tif 000009
【図８】
2006329239.tif 000010